(57)【要約】【課題】無線通信を介して互いに通信可能な装置間において、簡単な操作で得られるインタフェースにより、各々が保持するコンテンツを互いに共有できるデータ送受信装置を提供する。【解決手段】データ送受信装置は、相手装置との間でデータの送受信を行う通信手段と、相手装置との相対方向に関する情報を検出する相対方向検出手段と、通信手段を介して相手装置との間で行なうデータの送信または受信を切り替える送受信切替手段を備え、送受信切替手段は、相対方向検出手段において検出された相対方向に関する情報に応じて、相手装置に対してデータを送信するか、相手装置からデータを受信するかを切り替える。【選択図】図１
2010114540.tif 000002
【特許請求の範囲】
【請求項１】
据え置き型データ送受信装置との間でデータの送受信を行う通信手段と、
前記据え置き型データ送受信装置との相対方向に関する情報を検出する相対方向検出手段と、
前記通信手段を介して行なうデータの送信または受信を切り替える送受信切替手段を備え、
前記送受信切替手段は、前記相対方向検出手段において検出された前記相対方向に関する情報に応じて、前記据え置き型データ送受信装置に対してデータを送信するか、前記据え置き型データ送受信装置からデータを受信するかを切り替えることを特徴とするデータ送受信装置。
【請求項２】
データを蓄積するデータ蓄積手段と、前記データ蓄積手段に保持されているデータを削除するか否かを判断する削除判断手段をさらに備え、
前記データ蓄積手段に保持されているデータを前記据え置き型データ送受信装置に対して送信する際に、前記削除判断手段は、前記相対方向検出手段において検出された前記相対方向に関する情報に応じて、前記据え置き型データ送受信装置に対して送信したデータを、前記データ蓄積手段から削除するか否かを判断することを特徴とする請求項１記載のデータ送受信装置。
【請求項３】
前記据え置き型データ送受信装置に対して送信するデータを選択するデータ選択手段をさらに備え、
前記データ選択手段は、前記相対方向検出手段において検出された前記相対方向に関する情報に応じて、前記据え置き型データ送受信装置に対して送信するデータを選択することを特徴とする請求項１または２記載のデータ送受信装置。
【請求項４】
前記データ選択手段は、前記据え置き型データ送受信装置に対して送信するデータを選択する際に、前記相対方向検出手段において検出された前記相対方向に関する情報に応じて、前記据え置き型データ送受信装置に対して送信するデータの数を決定することを特徴とする請求項３記載のデータ送受信装置。
【請求項５】
データを蓄積するデータ蓄積手段と、前記据え置き型データ送受信装置に対してデータの送信要求をするデータ送信要求手段をさらに備え、
前記データ送信要求手段からの前記送信要求に応じて前記据え置き型データ送受信装置から送信されたデータを受信して前記データ蓄積手段に保持する際に、
前記データ送信要求手段は、前記相対方向検出手段において検出された前記相対方向に関する情報に応じて、前記据え置き型データ送受信装置が前記送信要求に応じて送信したデータを削除するか否かの情報を、前記送信要求に包含させることを特徴とする請求項１記載のデータ送受信装置。
【請求項６】
前記データ送信要求手段は、前記据え置き型データ送受信装置から受信するデータを選択し、該選択したデータを送信要求する機能を有し、
前記相対方向検出手段において検出された前記相対方向に関する情報に応じて、前記据え置き型データ送受信装置に対し、受信するデータを選択して送信要求することを特徴とする請求項５記載のデータ送受信装置。
【請求項７】
前記データ送信要求手段は、前記据え置き型データ送受信装置から受信するデータを選択する際に、前記相対方向検出手段において検出された前記相対方向に関する情報に応じて、受信するデータの数を決定することを特徴とする請求項６記載のデータ送受信装置。
【請求項８】
前記相対方向に関する情報は、前記相対方向検出手段において検出された前記相対方向に関する情報のみならず、前記据え置き型データ送受信装置が具備する相対方向検出手段において検出された前記相対方向に関する情報が含まれていることを特徴とする請求項１乃至７記載のデータ送受信装置。
【請求項９】
通信手段Ａを備えた据え置き型データ送受信装置と、前記通信手段Ａと通信可能な通信手段Ｂを備えた少なくとも１台の携帯型データ送受信装置から成るデータ送受信システムであって、
前記据え置き型データ送受信装置および前記携帯型データ送受信装置の少なくとも一方の装置が、
前記据え置き型データ送受信装置と前記携帯型データ送受信装置との相対方向に関する情報を検出する相対方向検出手段と、
前記一方の装置に対してデータを送信するか、前記一方の装置からデータを受信するかを切り替える送受信切替手段を備え、
前記相対方向検出手段において検出した相対方向に関する情報に基づいて、前記送受信切替手段におけるデータの送信または受信を切り替えることを特徴とするデータ送受信システム。
【発明の詳細な説明】
【技術分野】
【０００１】
本発明は、無線通信、特に近接無線通信を利用してデータの送受信を行うデータ送受信装置およびデータ送受信システムに関する。
【背景技術】
【０００２】
近年、ＨＤＤ（Ｈａｒｄ  Ｄｉｓｋ  Ｄｒｉｖｅ）やメモリーカードなどの蓄積媒体の大容量化に伴い、ＡＶ（Ａｕｄｉｏ  ａｎｄ  Ｖｉｓｕａｌ）機器に蓄積されるコンテンツのデータ量が増加してきている。コンテンツの種類としては、放送番組を録画した映像コンテンツやインターネット経由で購入した動画・音楽コンテンツのほか、デジタルカメラやビデオカメラで撮影したプライベートコンテンツなど、多岐にわたっている。
【０００３】
ＨＤＤレコーダやＰＣ（Ｐｅｒｓｏｎａｌ  Ｃｏｍｐｕｔｅｒ）などの据え置き機器に蓄積されたコンテンツは、据え置き機器で視聴する以外に、携帯電話や携帯音楽プレイヤーなどの携帯機器にコンテンツをコピーして持ち出し、別の場所でコンテンツを視聴するといった楽しみ方がある。また、デジタルカメラやデジタルビデオカメラなどで撮影したプライベートコンテンツは、宅内に設置されたＨＤＤレコーダなどにコピーして、大画面で視聴して楽しむといった使われ方が一般的に行われている。
【０００４】
このような場合に行われる携帯機器と据え置き機器との間でのコンテンツのコピー（あるいは移動）の方法としては、有線あるいは無線のＬＡＮ（Ｌｏｃａｌ  Ａｒｅａ  Ｎｅｔｗｏｒｋ）を利用して、ネットワーク経由でコンテンツの共有を行う方法がある。ネットワークを利用すれば、ＤＶＤ（Ｄｉｇｉｔａｌ  Ｖｅｒｓａｔｉｌｅ  Ｄｉｓｃ）やメモリーカードなどの物理媒体を介してコピーする必要がなく、ユーザの利便性を向上させることができる。しかし、同一ネットワーク内に複数の機器が接続されている場合には、コンテンツを共有する相手の機器を一意に特定することはできないため、ユーザは、画面に表示された機器リストの中から、対象とする機器を選択するなどして相手機器を特定する必要があるため、ユーザに「機器を選択する」という操作の手間をかけさせることになる。
【０００５】
これに対し、近接無線通信を利用することによって操作対象とする機器を特定する方法が提案されている。近接無線は、機器間の距離が数ｃｍ程度の至近距離の場合にのみ通信が可能であり、この特性を利用すれば、据え置き機器に対して携帯機器を近接させることで機器の紐付けを行うことが可能になる。つまり、画面に表示された機器一覧の中から機器を選択するなどの操作をユーザが行う必要がなく、操作している機器を相手機器に近づけるという、極めて簡単な操作によって相手機器を選択することができる。相手機器が選択できれば、次に機器間で共有するコンテンツを選択し、無線の通信路を介してコンテンツの送信または受信を行うことにより、コンテンツのコピーや移動を行うことが可能となる。
【０００６】
さらに、特許文献１においては、近接する機器の相対位置を検出し、その検出した相対位置に応じて送信するコンテンツの種類を切り替えるという方法が開示されている。
【特許文献１】特開２００３−２４８６９７号公報
【発明の開示】
【発明が解決しようとする課題】
【０００７】
しかしながら、特許文献１に開示されている従来技術においては、検出した相対位置に応じてコンテンツの種類を切り替えるのみであり、コンテンツを送信するのか、受信するのかといった操作に関する選択を行うことはできない。データ送受信装置相互間でのコンテンツの共有、例えば、携帯機器と据え置き機器との間でのコンテンツの共有に関しては、携帯機器で取得してきたコンテンツを据え置き機器にアップロードする場合と、据え置き機器に記録されているコンテンツを外に持ち出すために携帯機器にダウンロードする場合の、少なくとも２つのパターンが想定されるが、特許文献１に開示されている従来技術においては、このような少なくとも２つのパターンの選択を行うことができず、別途入力手段を設けて選択する必要があり、そのためにユーザに手間をかけさせるという課題があった。
【０００８】
本発明は、以上のような問題点に鑑みてなされたものであり、その目的とするところは、無線通信を介したデータ送受信装置間でのコンテンツの共有において、ユーザの利便性を向上し、かつ、極めて簡単な操作によってコンテンツの共有が可能なデータ送受信装置およびデータ送受信システムを提供することである。
【課題を解決するための手段】
【０００９】
上記目的を達成するために、本願の第１の発明のデータ送受信装置は、据え置き型データ送受信装置との間でデータの送受信を行う通信手段と、前記据え置き型データ送受信装置との相対方向に関する情報を検出する相対方向検出手段と、前記通信手段を介して行なうデータの送信または受信を切り替える送受信切替手段を備え、前記送受信切替手段は、前記相対方向検出手段において検出された前記相対方向に関する情報に応じて、前記据え置き型データ送受信装置に対してデータを送信するか、前記据え置き型データ送受信装置からデータを受信するかを切り替えることを特徴とするものである。
【００１０】
また、本願の第２の発明のデータ送受信装置は、本願の第１の発明のデータ送受信装置において、データを蓄積するデータ蓄積手段と、前記データ蓄積手段に保持されているデータを削除するか否かを判断する削除判断手段をさらに備え、前記データ蓄積手段に保持されているデータを前記据え置き型データ送受信装置に対して送信する際に、前記削除判断手段は、前記相対方向検出手段において検出された前記相対方向に関する情報に応じて、前記据え置き型データ送受信装置に対して送信したデータを、前記データ蓄積手段から削除するか否かを判断することを特徴とするものである。
【００１１】
また、本願の第３の発明のデータ送受信装置は、本願の第１または第２の発明のデータ送受信装置において、前記据え置き型データ送受信装置に対して送信するデータを選択するデータ選択手段をさらに備え、前記データ選択手段は、前記相対方向検出手段において検出された前記相対方向に関する情報に応じて、前記据え置き型データ送受信装置に対して送信するデータを選択することを特徴とするものである。
【００１２】
また、本願の第４の発明のデータ送受信装置は、本願の第３の発明のデータ送受信装置において、前記データ選択手段は、前記据え置き型データ送受信装置に対して送信するデータを選択する際に、前記相対方向検出手段において検出された前記相対方向に関する情報に応じて、前記据え置き型データ送受信装置に対して送信するデータの数を決定することを特徴とするものである。
【００１３】
また、本願の第５の発明のデータ送受信装置は、本願の第１の発明のデータ送受信装置において、データを蓄積するデータ蓄積手段と、前記据え置き型データ送受信装置に対してデータの送信要求をするデータ送信要求手段をさらに備え、前記データ送信要求手段からの前記送信要求に応じて前記据え置き型データ送受信装置から送信されたデータを受信して前記データ蓄積手段に保持する際に、前記データ送信要求手段は、前記相対方向検出手段において検出された前記相対方向に関する情報に応じて、前記据え置き型データ送受信装置が前記送信要求に応じて送信したデータを削除するか否かの情報を、前記送信要求に包含させることを特徴とするものである。
【００１４】
また、本願の第６の発明のデータ送受信装置は、本願の第５の発明のデータ送受信装置において、前記データ送信要求手段は、前記据え置き型データ送受信装置から受信するデータを選択し、該選択したデータを送信要求する機能を有し、前記相対方向検出手段において検出された前記相対方向に関する情報に応じて、前記据え置き型データ送受信装置に対し、受信するデータを選択して送信要求することを特徴とするものである。
【００１５】
また、本願の第７の発明のデータ送受信装置は、本願の第６の発明のデータ送受信装置において、前記データ送信要求手段は、前記据え置き型データ送受信装置から受信するデータを選択する際に、前記相対方向検出手段において検出された前記相対方向に関する情報に応じて、受信するデータの数を決定することを特徴とするものである。
【００１６】
また、本願の第８の発明のデータ送受信装置は、本願の第１乃至第７の発明のデータ送受信装置において、前記相対方向に関する情報は、前記相対方向検出手段において検出された前記相対方向に関する情報のみならず、前記据え置き型データ送受信装置が具備する相対方向検出手段において検出された前記相対方向に関する情報が含まれていることを特徴とするものである。
【００１７】
また、本願の第９の発明のデータ送受信システムは、通信手段Ａを備えた据え置き型データ送受信装置と、前記通信手段Ａと通信可能な通信手段Ｂを備えた少なくとも１台の携帯型データ送受信装置から成るデータ送受信システムであって、前記据え置き型データ送受信装置および前記携帯型データ送受信装置の少なくとも一方の装置が、前記据え置き型データ送受信装置と前記携帯型データ送受信装置との相対方向に関する情報を検出する相対方向検出手段と、前記一方の装置に対してデータを送信するか、前記一方の装置からデータを受信するかを切り替える送受信切替手段を備え、前記相対方向検出手段において検出した相対方向に関する情報に基づいて、前記送受信切替手段におけるデータの送信または受信を切り替えることを特徴とするものである。
【発明の効果】
【００１８】
本発明によれば、据え置き型データ送受信装置と携帯型などのデータ送受信装置との相対方向に関する情報に基づいて、通信相手方の装置にデータを送信するか、通信相手方の装置からデータを受信するかを区別するため、送信／受信を識別するための入力手段を別途設ける必要がなく、操作するユーザにとって極めて簡単な操作でコンテンツの共有を行うことが可能になる。
【発明を実施するための最良の形態】
【００１９】
以下に、本発明を実施するための最良の形態について、図面を参照しながら説明する。
【００２０】
（実施の形態１）
まず、本発明の実施の形態１におけるデータ送受信システムの構成について、図１を用いて説明する。なお、図１は、本発明の実施の形態１におけるデータ送受信システムの構成を示すブロック図である。
【００２１】
図１において、データ送受信システムは、携帯機器（携帯型データ送受信装置）１００と据え置き機器（据え置き型データ送受信装置）２００で構成され、携帯機器１００は、例えば、持ち運び可能なデジタルスチルカメラで代表される機器であり、据え置き機器２００は、例えば、ＨＤＤレコーダで代表される機器である。
【００２２】
携帯機器１００は、通信手段１０１、送信手段１０２、受信手段１０３、制御手段１０４、コンテンツ蓄積手段１０５、コンテンツ情報保持手段１０６、相対方向検出手段１０７、および送受信切替手段１０８を備える。一方、据え置き機器２００は、通信手段２０１、送信手段２０２、受信手段２０３、制御手段２０４、コンテンツ蓄積手段２０５、およびコンテンツ情報保持手段２０６を備える。
【００２３】
携帯機器１００と据え置き機器２００は、各々通信手段１０１および２０１を介して互いに通信を行うことが可能である。この両機器間の通信には近接無線通信が利用され、両機器が一定距離以内に近接した場合にのみ通信が可能となり、機器間の距離が離れている場合には通信を行うことができない。携帯機器１００または据え置き機器２００は、相手機器と一定距離以内に近接することで通信路を確立し、相手機器に対してコンテンツなどのデータや要求を送信する場合には、通信手段１０１および送信手段１０２、または通信手段２０１および送信手段２０２を介して送信処理を行う。また、相手機器からコンテンツや要求を受信する場合には、通信手段１０１および受信手段１０３または通信手段２０１および受信手段２０３を介して受信処理を行う。
【００２４】
コンテンツ蓄積手段１０５および２０５は、映像・音楽・静止画等のコンテンツなどのデータを格納する記録媒体である。なお、コンテンツ蓄積手段１０５および２０５は、携帯機器１００および据え置き機器２００に内蔵されていてもよいし、取り外し可能なメディアであってもよい。コンテンツ情報保持手段１０６および２０６は、コンテンツ蓄積手段１０５および２０５に蓄積されているコンテンツなどのデータに関する属性情報を格納する記録媒体である。属性情報としては、例えば、コンテンツのタイトル名、録画時刻、録画時間、およびデータサイズなどの情報が含まれる。
【００２５】
携帯機器１００が備える相対方向検出手段１０７は、据え置き機器２００との相対方向に関する情報を検出／取得し、取得した情報を送受信切替手段１０８に送信する。送受信切替手段１０８は、相対方向検出手段１０７から受信した情報に基づき、コンテンツを据え置き機器２００に対して送信するか、据え置き機器２００から受信するかを判断し、その判断した結果を制御手段１０４に送信する。制御手段１０４は、送受信切替手段１０８からの情報（判断した結果）に基づいて、コンテンツを据え置き機器２００に対して送信または据え置き機器２００から受信するための制御を行う。
【００２６】
次に、図２を用いて、本発明の実施の形態１における携帯機器１００と据え置き機器２００の相対方向に関する情報の検出方法について説明する。なお、図２は、本発明の実施の形態１における携帯機器と据え置き機器の外観および位置関係を示した図である。
【００２７】
ここでは、据え置き機器２００の筐体上面と、携帯機器１００の筐体背面の下部から上部に向けて垂直に伸ばした直線との間で成す角度を相対方向に関する情報として使用する。この角度は図２に示すαに相当する。携帯機器１００は傾きセンサーを内蔵し、自機器の筐体の傾きを検知できるものとする。ここで、簡単のため、据え置き機器２００は水平に設置されているものとし、相対方向としては、傾きセンサーによって検出される角度αの値をそのまま使用するものとする。なお、確実な相対方向を検出するためには、据え置き機器２００にも傾きセンサーを内蔵し、据え置き機器２００の傾きと、携帯機器１００の傾きの差分を求めることにより検出することが望ましい。
【００２８】
相対方向検出手段１０７は、据え置き機器２００との相対方向に関する情報、すなわち、据え置き機器２００に対する傾き（角度α）を検出／取得し、その取得した情報を送受信切替手段１０８に通知する。
【００２９】
次に、図３を用いて、本発明の実施の形態１における携帯機器１００の動作の流れについて説明する。なお、図３は、本発明の実施の形態１における携帯機器の動作の流れを示すフローチャートである。
【００３０】
図３において、携帯機器１００を据え置き機器２００に近づけると、近接無線により、両機器間での通信路が確立される（Ｓ１）。ステップＳ１において両機器間での通信路が確立されると、携帯機器１００は、相対方向検出手段１０７により相対方向に関する情報を検出／取得する（Ｓ２）。つまり、携帯機器１００がどのような方向を維持した状態で据え置き機器２００に近づけられたかの情報、すなわち、角度αを検出し取得する。
【００３１】
送受信切替手段１０８においては、相対方向検出手段１０７がステップＳ２で取得した相対方向に関する情報（ここでは、角度α）に基づいて、コンテンツを送信、すなわちアップロードするか、コンテンツを受信、すなわちダウンロードするかを判別する（Ｓ３）。判別方法としては、例えば、相対方向検出手段１０７で取得した角度αの値に応じて、以下のルールで判別する。
【００３２】
−９０°＜α＜０°、０°≦α＜９０°          ：ダウンロード（受信）
−１８０°＜α＜−９０°、９０°＜α≦１８０°：アップロード（送信）
つまり、携帯機器１００が据え置き機器２００の筐体上面に対して下向きか上向きかで判別する方法であり、携帯機器１００が下向きの場合は据え置き機器２００に対してコンテンツを送信し、携帯機器１００が上向きの場合は据え置き機器２００からコンテンツを吸い出して受信する。
【００３３】
なお、このような判別ルールは、特に上記のものに限定するものではないが、ユーザが直感的に判断しやすいルールにすることが望ましいことは言うまでもない。
【００３４】
ステップＳ３において、コンテンツを送信すると判別した場合（ステップＳ３においてＹＥＳの場合）、携帯機器１００が備えるデータ選択手段（図示せず）は、コンテンツ蓄積手段１０５において保持するコンテンツ（データ）の中から、据え置き機器２００に対して送信するコンテンツを選択／決定する（Ｓ４）。このとき、送信するコンテンツは、携帯機器１００が保持するすべてのコンテンツでも構わないが、本発明の実施の形態１においては、データ選択手段は、相対方向検出手段１０７において検出した相対方向に関する情報（角度α）に応じて、送信するコンテンツを選択／決定するものとし、ここでは、角度αに応じて送信するコンテンツの数を決定するものとする。
【００３５】
角度αに応じて、送信するコンテンツの数は、次に示す算出式（イ）によって算出する。
【００３６】
（全コンテンツ数）×（（｜α｜÷９０）−１）    算出式（イ）
つまり、α＝１８０°（下向き）の場合には全コンテンツを送信し、α＝±９０°（縦向き）の場合には、コンテンツを送信しないものとする。また、その間の角度の場合は、より下向きに近いほど送信するコンテンツの数が増えることになる。
【００３７】
コンテンツ蓄積手段１０５において保持しているコンテンツの内、一部のコンテンツのみを送信する場合、データ選択手段は、コンテンツの記録日時や種別（動画／静止画／音楽）などの情報に基づいて、予め定めた手順や方法により送信するコンテンツを選択する。ここでは、コンテンツの記録日時の新しいものから順に、上記算出式（イ）により算出した数のコンテンツを送信するものとする。
【００３８】
データ選択手段が送信するコンテンツを決定すると、携帯機器１００は、据え置き機器２００に対してコンテンツの送信を開始する旨の通知を行い（Ｓ５）、その後、決定したコンテンツの送信を行う（Ｓ６）。ステップＳ４において選択／決定された全てのコンテンツの送信が完了すると、据え置き機器２００との間の通信のコネクションを切断し（Ｓ１２）、コンテンツの送信を完了する。
【００３９】
このとき、据え置き機器２００に対して送信が完了したコンテンツおよびそのコンテンツに関する情報は、それぞれコンテンツ蓄積手段１０５およびコンテンツ情報保持手段１０６から削除してもよいし、保持したままの状態であってもよい。また、携帯機器１００は、コンテンツ蓄積手段１０５およびコンテンツ情報保持手段１０６にそれぞれ保持されているデータ（コンテンツおよびコンテンツに関する情報）の内、据え置き機器２００に対して送信したデータを削除するか否かを判断する削除判断手段（図示せず）を備え、該削除判断手段が、相対方向検出手段１０７において検出／取得した情報に基づいて、削除するか否かを判断するようにしてもよい。例えば、角度αが特定の範囲以内の値であれば、コンテンツ送信後にコンテンツを削除し（すなわち、コンテンツを移動し）、特定の範囲外の値であれば、コンテンツ送信後もコンテンツを保持する（すなわち、コンテンツをコピーする）といった判断を行うようにすることも可能である。
【００４０】
一方、ステップＳ３においてコンテンツを受信すると判断した場合（ステップＳ３においてＮＯの場合）、携帯機器１００が備えるデータ送信要求手段（図示せず）は、受信するコンテンツを選択するために、まず、据え置き機器２００がコンテンツ蓄積手段２０５において保持しているコンテンツの一覧情報を取得する。そのため、データ送信要求手段は、据え置き機器２００に対してコンテンツ一覧情報を取得する旨の要求（コンテンツ一覧情報取得要求）を送信し（Ｓ７）、コンテンツ一覧情報取得要求に対応して据え置き機器２００から送信されたコンテンツ一覧情報を受信する（Ｓ８）。
【００４１】
次に、データ送信要求手段は、ステップＳ８において取得したコンテンツ一覧情報と、相対方向検出手段１０７がステップＳ２において検出／取得した相対方向に関する情報に基づいて、据え置き機器２００から受信（取得）するコンテンツを選択／決定する（Ｓ９）。受信するコンテンツの数は、次に示す、上述した算出式（イ）と同じ算出式（イ）によって算出する。
【００４２】
（全コンテンツ数）×（（｜α｜÷９０）−１）    算出式（イ）
つまり、α＝０°（上向き）の場合には全コンテンツを受信し、α＝±９０°（縦向き）の場合には、コンテンツを受信しないものとする。また、αがその間の角度の場合は、より上向きに近いほど受信するコンテンツの数が増えることになる。
【００４３】
携帯機器１００が据え置き機器２００のコンテンツ蓄積手段２０５において保持されているコンテンツの内、一部のコンテンツを受信（取得）する場合、データ送信要求手段は、据え置き機器２００から受信したコンテンツ一覧情報に含まれるコンテンツの記録日時や種別（動画／静止画／音楽）などの情報に基づいて、予め定めた手順や方法により受信するコンテンツを選択する。例えば、コンテンツの記録日時の新しいものから順に、上記算出式（イ）により算出した数のコンテンツを受信（取得）する。
【００４４】
データ送信要求手段は、据え置き機器２００から受信するコンテンツを選択／決定すると、据え置き機器２００に対してコンテンツの取得要求を送信する（Ｓ１０）。データ送信要求手段からの取得要求を受信した据え置き機器２００はコンテンツの送信を開始し、携帯機器１００は据え置き機器２００から送信されてきたコンテンツの受信を行う（Ｓ１１）。携帯機器１００は、ステップＳ９において選択された全てのコンテンツの受信が完了すると、据え置き機器２００との通信のコネクションを切断し（Ｓ１２）、コンテンツの受信を完了する。
【００４５】
携帯機器１００が据え置き機器２００から受信したコンテンツは、コンテンツ蓄積手段１０５に記録され、併せてコンテンツ情報保持手段１０６が保持しているコンテンツ情報も更新される。このとき、据え置き機器２００において、携帯機器１００に対して送信が完了したコンテンツおよびコンテンツ情報は、コンテンツ蓄積手段２０５およびコンテンツ情報保持手段２０６から削除してもよいし、記録したままの状態であってもよい。削除するか否かの判断を携帯機器１００において行う場合は、ステップＳ１０において、携帯機器１００のデータ送信要求手段が、送信する取得要求の中に削除するか否かの情報を付加し、据え置き機器２００に対して通知する。また、コンテンツを削除するか否かの判断を、相対方向検出手段１０７において取得した情報（ここでは角度α）に基づいて行ってもよい。例えば、データ送信要求手段が、角度αが特定の範囲以内の値であれば、コンテンツ送信後にコンテンツを削除（すなわち、コンテンツを移動）するが、特定の範囲外の値であれば、コンテンツ送信後もコンテンツを保持する（すなわち、コンテンツをコピーする）と判断し、その判断結果の情報を送信する取得要求の中に付加して、据え置き機器２００に対して通知することができる。なお、コンテンツを削除するか否かを判断する手段は、データ送信要求手段に限るものではなく、携帯機器１００が具備する他の手段であってもかまわない。
【００４６】
以上のように、相対方向検出手段１０７において検出／取得した情報に基づいて、携帯機器１００と据え置き機器２００におけるコンテンツの共有に関する操作の切り替えとコンテンツの選択／決定を行うことにより、別途入力手段を設けることなく、コンテンツの共有を容易に行うことが可能となる。
【００４７】
なお、本発明の実施の形態１においては、携帯機器１００と据え置き機器２００間におけるコンテンツの送受信の操作は、据え置き機器２００に対して携帯機器１００を近接させ、通信路が確立された場合に操作が開始されるものとしたが、近接させたことを検出して即時に操作を開始するだけでなく、携帯機器１００を据え置き機器４００に近接後あるいは携帯機器１００を静止後、一定時間経過したことを検出した後に操作を開始するようにしてもよい。
【００４８】
また、コンテンツの送受信の終了は、選択／決定されたコンテンツの送受信が完了した場合に限るものではなく、携帯機器１００を据え置き機器２００から遠ざけたことを検出、あるいは相対方向を切り替えたことを検出して、コンテンツの送受信を終了あるいは中断するようにしてもよい。中断した場合は、再度携帯機器１００と据え置き機器２００を近接させる、あるいは、再度相対方向を切り替えることによって、コンテンツの送受信を再開するようにしてもよい。
【００４９】
また、本発明の実施の形態１においては、相対方向の検出方法として傾きセンサーを使用するものとしたが、これに限るものではなく、例えば、光や音波、電界や磁界などの変化を検出して、携帯機器１００と据え置き機器２００間の相対方向を検出する方法であってもよい。
【００５０】
また、本発明の実施の形態１において、相対方向は、携帯機器１００の筐体背面と据え置き機器２００の筐体上面とでなす角度を使用したが、これに限るものではなく、例えば、据え置き機器２００は、ケーブルを介して筐体と接続された無線通信用アンテナを備え、そのアンテナ面と携帯機器１００とでなす角度を相対方向として用いるようにしてもよい。
【００５１】
また、本発明の実施の形態１においては、携帯機器１００と据え置き機器２００との間の相互通信を近接無線通信で行う場合を例に挙げたが、これに限るものではなく、例えば、ＩＥＥＥ８０２．１１ａ、ＩＥＥＥ８０２．１１ｂ、およびＩＥＥＥ８０２．１１ｇなどの規格に則った無線ＬＡＮを用いてもよい。なお、このことは後述する本発明の実施の形態２においても同様である。
【００５２】
また、本発明の実施の形態１においては、データ送受信システムは、携帯機器１００と据え置き機器２００で構成される例を挙げたがこれに限るものではなく、携帯機器１００が複数存在してもかまわないし、また、携帯機器１００は、必ずしも携帯用の機器である必要はなく、持ち運び可能な機器であればよい。なお、このことは後述する本発明の実施の形態２においても同様である。
【００５３】
（実施の形態２）
図４は、本発明の実施の形態２におけるデータ送受信システムの構成を示すブロック図である。
【００５４】
図４において、データ送受信システムは、携帯機器１００と据え置き機器４００で構成され、携帯機器１００は、例えば、持ち運び可能なデジタルスチルカメラであり、据え置き機器４００は、例えば、ＨＤＤレコーダである。
【００５５】
携帯機器１００の内部構成は、本発明の実施の形態１の構成と同じであるので同じ符号を付し、ここでは説明を省略する。据え置き機器４００の内部構成は、相対方向検出手段４０７を備えていること以外は、本発明の実施の形態１における据え置き機器２００の内部構成と同じであるので、相対方向検出手段４０７以外は据え置き機器２００と同じ符号を付し、ここでは説明を省略する。
【００５６】
据え置き機器４００において、相対方向検出手段４０７が検出した相対方向に関する情報は、送信手段２０２および通信手段２０１を介して、据え置き機器４００から携帯機器１００に通知される。携帯機器１００では、据え置き機器４００から送信された相対方向に関する情報を通信手段１０１および受信手段１０３を介して受信し、相対方向検出手段１０７へ通知する。つまり、本発明の実施の形態２では、据え置き機器４００において相対方向に関する情報を検出し、検出した相対方向に関する情報を通信路を介して携帯機器１００に通知するという構成をとっている。
【００５７】
次に、図５を用いて、本発明の実施の形態２における相対方向に関する情報の検出方法について説明する。なお、図５は、本発明の実施の形態２における携帯機器と据え置き機器の外観および位置関係を示した図である。
【００５８】
図５において、据え置き機器４００の筐体上面と、携帯機器１００の筐体の最も長い辺（最長辺）の直線との間で成す角度のうち、据え置き機器４００の中央部より外側になされる角度を相対方向として使用する。説明を補足すると、携帯機器１００の筺体の最長辺方向の直線が、図５の左側に示されるように据え置き機器４００の中心部（図５の位置センサー中央点）に向かって据え置き機器４００に近づいて行く場合は、据え置き機器４００の筐体上面と携帯機器１００の筐体の最長辺の直線との間で成す角度の内の鋭角を相対方向とし、携帯機器１００の筺体の最長辺方向の直線が、図５の右側に示されるように据え置き機器４００の中心部から遠ざかって行く場合は、据え置き機器４００の筐体上面と携帯機器１００の筐体の最長辺の直線との間で成す角度の内の鈍角を相対方向として使用する。
【００５９】
この角度は、図５に示すβに相当する。据え置き機器４００は位置センサーを内蔵し、携帯機器１００の相対位置および相対方向を特定できるものとする。具体的には、携帯機器１００および据え置き機器４００の筐体にそれぞれ発光素子および受光素子を配置することによって、機器間の相対距離および方向といった相対方向に関する情報を取得することが可能である。
【００６０】
また、携帯機器１００は、本発明の実施の形態１と同じく傾きセンサーを内蔵して据え置き機器４００に対する自機器の筐体の傾きを検出することができ、ここでは、筐体の最長辺方向の直線を軸とした回転角度を検出するものとする。この回転角度は、図５に示すγである。
【００６１】
次に、図６を用いて、本発明の実施の形態２における携帯機器１００の動作の流れについて説明する。なお、図６は、本発明の実施の形態２における携帯機器の動作の流れを示すフローチャートである。
【００６２】
図６において、携帯機器１００を据え置き機器４００に近づけると、近接無線により、両機器間での通信路が確立される（Ｓ６１）。ステップＳ６１において両機器間での通信路が確立されると、携帯機器１００は、相対方向検出手段１０７により相対方向に関する情報を検出／取得する（Ｓ６２）。
【００６３】
相対方向に関する情報としては、携帯機器１００の筐体の最長辺方向の直線を軸とした回転角（図５に示すγ）と、携帯機器１００の最長辺方向の直線と据え置き機器４００の筐体上面とがなす角度のうち、据え置き機器４００の筐体中央部より外側の角（図５に示すβ）とを扱う。携帯機器１００は、角度βについては、据え置き機器４００の相対方向検出手段４０７において検出した情報を、通信路を介して取得することにより検出が可能であり、また、角度γについては、相対方向検出手段１０７において検出することが可能である。以上のようにして、携帯機器１００が据え置き機器４００に近接するように操作された際の、据え置き機器４００に対する携帯機器１００の筐体の相対方向に関する情報が検出／取得される。
【００６４】
次に、送受信切替手段１０８において、ステップＳ６２で取得した相対方向に関する情報に基づいて、コンテンツを送信、すなわちアップロードするか、コンテンツを受信、すなわちダウンロードするかを判別する（Ｓ６３）。この際の判別方法としては、相対方向検出手段１０７で検出／取得した角度βの値に応じて、例えば、以下のルールで判別する。
【００６５】
０°＜β≦  ９０°  ：アップロード（送信）
９０°＜β≦１８０°  ：ダウンロード（受信）
つまり、携帯機器１００の筐体の最長辺が、据え置き機器４００の中央部に向かって近づく方向にある場合は、据え置き機器４００に対してコンテンツを送信し、据え置き機器４００の中央部から遠ざかる方向にある場合は、据え置き機器４００からコンテンツを受信する。
【００６６】
なお、このような判別ルールについては、特に上記のものに限定するものではないが、ユーザが直感的に判断しやすいルールにすることが望ましいことは言うまでもない。
【００６７】
ステップＳ６３において、コンテンツを送信すると判断した場合（ステップＳ６３においてＹＥＳの場合）、携帯機器１００は、コンテンツ蓄積手段１０５において保持するコンテンツの中から、据え置き機器４００に対して送信するコンテンツを選択／決定する（Ｓ６４）。このとき、送信するコンテンツは、携帯機器１００が保持するすべてのコンテンツでも構わないが、本発明の実施の形態２においては、携帯機器１００が備えているデータ選択手段（図示せず）が、相対方向検出手段１０７において検出した相対方向に関する情報（角度γ）に応じて、送信するコンテンツを選択／決定するものとし、ここでは、角度γに応じて送信するコンテンツの種類を決定するものとする。具体的には、回転方向の角度γに応じて、例えば、以下のルールによってコンテンツを選択する。
【００６８】
０°＜γ≦  ９０°  ：静止画コンテンツのみ
９０°＜γ≦１８０°  ：動画コンテンツのみ
１８０°＜γ＜３６０°  ：静止画および動画含めた全てのコンテンツ
携帯機器１００は、データ選択手段が送信するコンテンツを選択／決定すると、据え置き機器４００に対してコンテンツの送信を開始する旨の通知を行い（Ｓ６５）、その後コンテンツの送信を行う（Ｓ６６）。ステップＳ６４において選択／決定された全てのコンテンツの送信が完了すると、携帯機器１００は、据え置き機器４００との通信のコネクションを切断し（Ｓ７２）、コンテンツの送信を完了する。
【００６９】
このとき、据え置き機器４００に対して送信が完了したコンテンツおよびコンテンツ情報は、それぞれコンテンツ蓄積手段１０５およびコンテンツ情報保持手段１０６から削除してもよいし、保持したままの状態であってもよい。また、携帯機器１００が具備する削除判断手段（図示せず）が、据え置き機器４００に対して送信したコンテンツを削除するか否かを、相対方向検出手段１０７において検出／取得した情報に基づいて判断してもよい。例えば、削除判断手段が、角度βあるいは角度γが特定の範囲以内の値であれば、コンテンツ送信後にコンテンツを削除し（すなわち、コンテンツを移動し）、特定の範囲外の値であれば、コンテンツ送信後もコンテンツを保持する（すなわち、コンテンツをコピーする）といった判断を行うことも可能である。
【００７０】
一方、ステップＳ６３において、コンテンツを受信すると判断した場合（ステップＳ６３においてＮＯの場合）、携帯機器１００が備えるデータ送信要求手段（図示せず）は、受信するコンテンツを選択するために、まず、据え置き機器４００がコンテンツ蓄積手段２０５において保持しているコンテンツの一覧情報を取得する。そのため、データ送信要求手段は、据え置き機器４００に対してコンテンツ一覧情報を取得する旨の要求を送信し（Ｓ６７）、据え置き機器４００から送信されたコンテンツ一覧情報を受信する（Ｓ６８）。
【００７１】
次に、データ送信要求手段は、ステップＳ６８において取得したコンテンツ一覧情報と、ステップＳ６２において検出／取得した相対方向に関する情報に基づいて、据え置き機器４００から受信（取得）するコンテンツを選択／決定する（Ｓ６９）。受信するコンテンツの種類は、送信する場合と同様、回転方向の角度γに応じて決定する。
【００７２】
データ送信要求手段は、据え置き機器４００から受信するコンテンツを選択／決定すると、据え置き機器４００に対して、コンテンツの取得要求を送信する（Ｓ７０）。据え置き機器４００は、携帯機器１００のデータ送信要求手段からの取得要求を受信すると、その取得要求に対応したコンテンツの送信を開始し、携帯機器１００は、据え置き機器４００から送信されてきたコンテンツの受信を行う（Ｓ７１）。ステップＳ６９において選択された全てのコンテンツの受信が完了すると、携帯機器１００は、据え置き機器４００との通信のコネクションを切断し（７２）、コンテンツの受信を完了する。
【００７３】
携帯機器１００において受信したコンテンツは、コンテンツ蓄積手段１０５に記録され、併せて、コンテンツ情報保持手段１０６が保持しているコンテンツに関する情報も更新される。このとき、据え置き機器４００において、携帯機器１００に対して送信が完了したコンテンツおよびコンテンツに関する情報は、コンテンツ蓄積手段２０５およびコンテンツ情報保持手段２０６から削除してもよいし、保持したままの状態であってもよい。削除するか否かの判断を携帯機器１００において行う場合は、ステップＳ７０において、携帯機器１００のデータ送信要求手段が、送信する取得要求の中に削除するか否かの情報を付加して、据え置き機器４００に対して通知する。また、コンテンツを削除するか否かの判断を、相対方向検出手段１０７において検出／取得した情報（ここでは、角度βまたは角度γ）に基づいて行ってもよい。例えば、データ送信要求手段が、角度βあるいは角度γが特定の範囲以内の値であれば、コンテンツ送信後にコンテンツを削除し（すなわち、コンテンツを移動し）、特定の範囲外の値であれば、コンテンツ送信後もコンテンツを保持する（すなわち、コンテンツをコピーする）と判断し、その判断結果の情報を送信する取得要求の中に付加して、据え置き機器４００に対して通知することができる。なお、コンテンツを削除するか否かを判断する手段は、データ送信要求手段に限るものではなく、携帯機器１００が具備する他の手段であってもかまわない。
【００７４】
以上のように、相対方向検出手段１０７および相対方向検出手段４０７において検出／取得した情報に基づいて、携帯機器１００と据え置き機器４００におけるコンテンツの共有に関する操作の切り替えとコンテンツ種別の選択／決定を行うことにより、別途入力手段を設けることなく、コンテンツの共有を容易に行うことが可能となる。
【００７５】
なお、本発明の実施の形態２においては、携帯機器１００と据え置き機器４００間におけるコンテンツの送受信の操作は、据え置き機器４００に対して携帯機器１００を近接させ、通信路が確立された場合に操作が開始されるものとしたが、近接させたことを検出して即時に操作を開始するだけでなく、携帯機器１００を据え置き機器４００に近接後あるいは携帯機器１００を静止後、一定時間経過したことを検出した後に操作を開始するようにしてもよい。
【００７６】
また、コンテンツの送受信の終了は、選択／決定されたコンテンツの送受信が完了した場合に限るものではなく、携帯機器１００を据え置き機器４００から遠ざけたことを検出、あるいは相対方向を切り替えたことを検出して、コンテンツの送受信を終了あるいは中断するようにしてもよい。中断した場合は、再度携帯機器１００と据え置き機器４００を近接させる、あるいは、再度相対方向を切り替えることによって、コンテンツの送受信を再開するようにしてもよい。
【００７７】
また、本発明の実施の形態２においては、相対方向の検出方法として傾きセンサーや位置センサーを使用するものとしたが、これに限るものではなく、例えば、光や音波、電界や磁界などの変化を検出して、携帯機器１００と据え置き機器４００間の相対方向を検出する方法であってもよい。
【００７８】
また、本発明の実施の形態２において、相対方向は、携帯機器１００の筐体の最長辺方向の直線と据え置き機器４００の筐体上面とでなす角度を使用したが、これに限るものではなく、例えば、据え置き機器４００は、ケーブルを介して筐体と接続された無線通信用アンテナを備え、そのアンテナ面と携帯機器１００とでなす角度を相対方向として用いるようにしてもよい。
【産業上の利用可能性】
【００７９】
本発明のデータ送受信装置およびデータ送受信システムは、ＨＤＤレコーダやＰＣなどの据え置き機器との間でコンテンツの送受信を行う携帯電話、携帯音楽プレイヤーおよびデジタルスチルカメラなどの携帯機器に適用できるとともに、据え置き機器と携帯機器とで構成されるデータ送受信システムに適用することができる。
【図面の簡単な説明】
【００８０】
【図１】本発明の実施の形態１におけるデータ送受信システムの構成を示すブロック図
【図２】本発明の実施の形態１における携帯機器と据え置き機器の外観と位置関係を示した図
【図３】本発明の実施の形態１における携帯機器の動作の流れを示すフローチャート
【図４】本発明の実施の形態２におけるデータ送受信システムの構成を示すブロック図
【図５】本発明の実施の形態２における携帯機器と据え置き機器の外観および位置関係を示した図
【図６】本発明の実施の形態２における携帯機器の動作の流れを示すフローチャート
【符号の説明】
【００８１】
１００  携帯機器
１０１  通信手段
１０２  送信手段
１０３  受信手段
１０４  制御手段
１０５  コンテンツ蓄積手段
１０６  コンテンツ情報保持手段
１０７  相対方向検出手段
１０８  送受信切替手段
２００  据え置き機器
２０１  通信手段
２０２  送信手段
２０３  受信手段
２０４  制御手段
２０５  コンテンツ蓄積手段
２０６  コンテンツ情報保持手段
４００  据え置き機器
４０７  相対方向検出手段
【図１】
2010114540.tif 000003
【図２】
2010114540.tif 000004
【図３】
2010114540.tif 000005
【図４】
2010114540.tif 000006
【図５】
2010114540.tif 000007
【図６】
2010114540.tif 000008